(57)【要約】ドライブ及び記録担体の組み合わせについて最大許容読み出しパワーを決定する方法について開示している。その方法においては、データの劣化が生じる記録担体からデータを読み出すことにより、光パワー制御ループを制御するように前方感知設定値を求める。この技術は、ＣＤ、ＤＶＤ、ブルーレイプレーヤ及びレコーダ等の光記憶装置全てについて有用である。
2009545091.tif 000002
【特許請求の範囲】
【請求項１】
ドライブ及び記録担体の組み合わせについて最大許容読み出しパワーを決定する方法であって：
データの劣化が生じる前記記録担体からデータを読み出すことにより、光パワー制御ループを制御するように前方感知設定値を求める段階；
を有する方法。
【請求項２】
請求項１に記載の方法であって、前記前方感知設定値を求める段階は：
前記データの劣化が前記ドライブのアイドル時間中に生じる前記記録担体からデータを読み出すことにより、前記光パワー制御ループを制御するように前記前方感知設定値を求める段階；
を有する方法。
【請求項３】
請求項１に記載の方法であって、前記前方感知設定値を求める段階は：
前記記録担体から前記データを読み出し、前記読み出されたデータのパラメータを評価する段階；及び
前記評価されたパラメータに基づいて前記前方感知設定値を求める段階；
を有する方法。
【請求項４】
請求項３に記載の方法であって、前記記録担体から前記データを読み出し、前記読み出されたデータのパラメータを評価する段階は：
ａ）前記ドライブにより許容可能である最小設定値に対して前記前方感知設定値を初期化する段階；
ｂ）前記記録担体から前記データを１回読み出し、前記読み出されたデータの前記パラメータを評価する段階；
ｃ）前記記録担体から前記データをＮ回読み出し、前記データをＮ回読み出している間に、前記読み出されたデータの前記パラメータを評価する段階；及び
ｄ）前記前方感知設定値を増加させ、前記前方感知設定値が前記ドライブにより許容可能である最大値に達するまで、各々の前方感知設定値において上記段階ｂ及びｃを繰り返す段階；
を有する、方法。
【請求項５】
請求項４に記載の方法であって、前記評価されたパラメータに基づいて、前記前方感知設定値を求める段階は：
所定量だけ、前記評価されたパラメータが１回のデータ読み出しとＮ回おデータ読み出しとの間で変化する前記前方感知設定値を決定する段階；
を有する、方法。
【請求項６】
請求項５に記載の方法であって、前記パラメーは、ジッタ、シンボル誤り率、ＲＦ非対称性統計、ＲＦ変調統計、時間間隔分析器統計及びキャリア対ノイズ比を有する群から選択される、方法。
【請求項７】
請求項５に記載の方法であって：
前方感知設定値を求めるように所定の安全マージンを適用する段階；
を更に有する、方法。
【請求項８】
請求項１乃至７の何れか一項に記載の方法であって：
前記記録担体を識別する関連コードと共に前記求められた前方感知設定値を前記ドライブに記憶する段階；
を更に有する、方法。
【請求項９】
請求項８に記載の方法であって：
前記記録担体を識別する関連コードを読み出す段階；及び
前記記録担体に関連する前記記憶された前方感知設定値を用いて前記記録担体から前記データを読み出す段階；
を更に有する、方法。
【請求項１０】
ドライブ及び記録担体の組み合わせについて最大許容可能読み出しパワーを決定するドライブであって：
データの劣化が生じる前記記録担体からデータを読み出すことにより、光パワー制御ループを制御するように前方感知設定値を求めるようにドナ得られている前方感知設定値発見ユニット；
を有するドライブ。
【請求項１１】
請求項１０に記載のドライブであって、前記ドライブは、ブルーレイドライブ及びブルーレイディスクの組み合わせについて、前記最大許容可能読み出しパワーを決定するように備えられている、ドライブ。
【請求項１２】
ドライブ及び記録担体の組み合わせについて最大許容可能読み出しパワーを決定する方法を実行するコンピュータプログラムコード手段であって：
データの劣化が生じる前記記録担体からデータを読み出すことにより、光パワー制御ループを制御するように前方感知設定値を求める段階；
を有するコンピュータプログラムコード手段。
【発明の詳細な説明】
【技術分野】
【０００１】
本発明は、光学ドライブに関し、より具体的には、光学ドライブ−光ディスクの組み合わせについての読み出しパワー評価方法に関する。
【背景技術】
【０００２】
特開２００３−００６９４１号公報において、光記録媒体の再生耐久性を評価する方法について開示されている。その方法は、３つの異なる再生パワー値を用いる段階と、繰り返し再生を実行する段階とを有する。各々の再生パワーについての再生特性が評価される。再生の総数の常用対数と再生パワーとの間の関係が、最小二乗法を用いて計算される。この方法を用いて得られる再生パワーは、一般に、正確ではない。
【０００３】
ディスク／ドライブの組み合わせについて最大許容読み出しパワーを正確に決定する方法を有することは有利である。また、ディスク／ドライブの組み合わせについて最大許容読み出しパワーを正確に決定するドライブを有することも有利である。
【先行技術文献】
【特許文献】
【０００４】
【特許文献１】特開２００３−００６９４１号公報
【発明の概要】
【課題を解決するための手段】
【０００５】
ドライブ−記録担体の組み合わせについて最大許容読み出しパワーを決定する方法について記載している。その方法は、データの劣化が生じる記録担体からデータを読み出すことにより、光パワー制御ループを制御するように、前方感覚設定値を求める段階を有する。
【０００６】
ドライブ−記録担体の組み合わせについて最大許容読み出しパワーを決定する装置について記載している。その装置は、データの劣化が生じる記録担体からデータを読み出すことにより光パワー制御ループを制御するように、前方感覚設定値を求めるように備えられた前方感覚設定値発見ユニットを有する。
【０００７】
更に、ドライブ−記録担体の組み合わせについて最大許容読み出しパワーを決定する方法はコンピュータプログラムにより実施されることが可能である。
【０００８】
上記の及び他の特徴、特性及び有利点については、以下に、単なる例示として、添付図を参照して、更に説明している。
【図面の簡単な説明】
【０００９】
【図１】ドライブ−記録担体の組み合わせ及び光パワー制御ループの実施例を示す図である。
【図１ａ】ドライブ−記録担体の組み合わせ及び光パワー制御ループの実施例を示す図である。
【図２】パワーが高過ぎると読み出すことができないために内部に孔を有する破壊された非晶質マークの例を示す（記録担体の）透過電子顕微鏡（ＴＥＭ）写真である。
【図３】読み出しパワーと得られた読み出しサイクルとの間の関係を示すアーレニウスプロット（読み出し安定性）の例を示す図である。
【図４】繰り返し読み出しパワー及び平均ジッタの関数としての読み出しサイクルを示すグラフの例である。
【図５】繰り返し読み出しパワー及びシンボル誤り率の関数としての読み出しサイクルを示すグラフの例である。
【図６】１回の読み出しデータとＮ回の読み出しデータとの間のジッタ増加の例を示す図である。
【発明を実施するための形態】
【００１０】
図１を参照するに、ドライブ１００（例えば、ブルーレイドライブ）及び記録淡々１０２（例えば、ブルーレイディスク）の一例を示している。スピンドルモーター１０４は、ブルーレイディスク１０２を回転駆動させる。光ピックアップユニット１０６は、青色レーザ光源１０８、例えば、青色レーザダイオードにより発せられるレーザ光をブルーレイディスクに照射する。
【００１１】
ここで、図１及び図１ａを参照するに、青色レーザ光源１０８によるレーザ光出射を安定化するように、前方感知光パワー制御ループと称せられる方法が用いられる。ドライブ１００は、ドライブファームウェアにおいて有効である前方感知設定値ＦＳ０、ＦＳ１及びＦＳｍａｘを用いる。青色レーザ光源１０８から出射されるレーザビームの一部は、一般に、前方感知検出器と称せられる光検出器１０８ｂにより評価される。光検出器１０８ｂ（ＦＳ２）の出力は、ドライブ１００により適用される前方感知設定値（ＦＳ０）と比較される。出力（ＦＳ２）と入力（ＦＳ０）との間の差分が計算される。この差分は、レーザ光源パワー制御器１０８ａに渡され、そのレーザ光源パワー制御器１０８ａは、前方感知設定がその出力と入力との間の差分、即ち、ＦＳ２−ＦＳ０に等しくし、従って、レーザ光源１０８により出射されるパワーを制御するレーザ電流を生成する。例えば、設定ディジタル−アナログ変換器（ＤＡＣ）は、青色レーザ光源１０８からの光パワー出力の好ましいレベルを決定する。設定ＤＡＣに書き込まれたディジタル値は、アナログ出力電圧を生成し、そのアナログ出力電圧は、レーザ（光）パワー制御ループについての設定として用いられる。レーザ源パワー制御器１０８ａは入力として電圧信号を受け取り、レーザ光源１０８に比例する電流出力（例えば、１００乃至５００ｍＡ）を供給するようにその入力を用いる。電流−電圧変換器は、光検出器１０８ｂから出力電流を受け取り、電圧信号を供給する。この電圧信号は設定値から減じられる。その結果として得られるエラー信号は、その場合、レーザ光源１０８を安定に制御するように用いられる。レーザ光源制御器１０８ａは、レーザ光源１０８により出射される放射量（例えば、読み出しレベル及び書き込みレベル）を制御する。前方感知光パワー制御ループが実行される多くの方法が存在し、図１ａは有効な実行のうちの１つの例を示すものであることに留意する必要がある。
【００１２】
ここで、図１を参照するに、光ピックアップユニット１０６は、受け入れられた光の強度に従って信号を生成するように、ブルーレイディスク１０２において反射した光を受け入れる。更に、光ピックアップユニット１０６内に備えられている光検出器１１０（例えば、フォトダイオード）は、ブルーレイディスク１０２において反射された光ビームを受け入れる。光検出器は、その場合、その光を電気信号に変換し、その電気信号はまた、読み出し信号Ｒｄ＿ｓｉｇとして出力される。読み出し信号Ｒｄ＿ｓｉｇは、マイクロコントローラ１１２のディジタル信号処理ユニットに適用される。
【００１３】
ここで、図１を参照するに、ディジタル信号処理ユニットは、受け入れた読み出し信号を処理し、その処理された信号は、それに応じて、映像外部出力端子Ｖｔｅｒｍ及び／又は音響外部出力端子Ａｔｅｒｍ、又はデータ外部出力端子（例えば、パーソナルコンピュータ）に送信される。光ピックアップユニット１０６は、一般に、トラッキングアクチュエータ及びフォーカシングアクチュエータを備えている。トラッキングアクチュエータは、ブルーレイディスク１０２の半径方向におけるレーザビームスポットの読み出しポイントを位置付けるように対物レンズの方向を変化させる。フォーカシングアクチュエータは、上記のレーザビームスポットの焦点位置を制御する。上記の構成においては、光ピックアップユニット１０６は、ブルーレイディスク１０２に記録されている情報を読み出し、読み出し信号Ｒｄ＿ｓｉｇを出力する。ユニット１１４は、読み出し信号Ｒｄ＿ｓｉｇからトラッキングエラー信号及びフォーカシングエラー信号を抽出する。それらのトラッキングエラー信号及びフォーカシングエラー信号は、トラッキングアクチュエータ、フォーカシングアクチュエータ、スライドモーター及びスピンドルモーター１０４を制御するトラッキングエラー信号及びフォーカシングエラー信号を用いるドライバ１１６に供給される。
【００１４】
図１に示す構成は、ブルーレイドライブ１００の一般動作に関連する部分のみを示している。光ピックアップユニット、スピンドルモーター、スライドモーター、ディジタル信号処理ユニット等を制御するサーボ回路についての説明は、それらが従来のシステムと同様の方式で構成されているため、省略する。
【００１５】
ブルーレイディスク媒体は、一般に、過剰な読み出しパワーに対して脆弱であり、即ち、データは、一般に、高過ぎるレーザパワーが用いられる場合に読み出されることにより破壊される可能性がある。更に、高いドライブの温度は、この読み出しの不安定性を加速させる。他方、良好な信号対ノイズ比を有するように、有効な、最も高い読み出しパワーを用いることがしばしば、重要である。一部のブルーレイ媒体は、他の媒体に比べて、高読み出しパワーに対して耐性が低い。
【００１６】
高過ぎるパワーを用いてブルーレイディスク１０２（位相変化媒体）から、記録されている情報を読み出すことは、一般に、記録されている情報を破壊する可能性がある。再書き込み可能位相変化媒体の論理的性質は、読み出しパワー（Ｐｒｅａｄ＝消去パワー）を有する極限において、データは１サイクル以内に完全に消去されることである。より低い読み出しパワーにおいては、得られるサイクルは急激に増加する。ユーザのデータの破壊は、確率ηを有する、書き込まれる非晶質マークにおける核又は欠陥形成により生じる。得られる読み出しサイクルは、次式に従って確率に関連している。
【００１７】
確率η＝ｅｘｐ（−Ｅ／ｋＴ）
温度Ｔ∝Ｐｒｅａｄ
読み出しサイクルＲｅａｄｃｙｃｌｅｓ∝１／η  （１０６読み出しサイクルを外挿するアーレニウスプロット）
図２は、パワーが高過ぎて読み出すことができないために、内部に孔を有する破壊された非晶質マークの例を示す透過電子顕微鏡（ＴＥＭ）写真を示している。記録可能媒体の場合には、かなりの熱が蓄えられると、記録層の物理的又は化学的な材料構造が変化する。ユーザデータの破壊は、発色、脱色、合金特性の変化又は相変化によりオリジナルの元々の空間の、かなり変化した部分的な特性の形成により生じる。記録されているマークは、一般に、更に劣化することはない。
【００１８】
図３は、読み出しパワーと得られた読み出しサイクルとの間の相互関係を示すアーレニウスプロット（読み出し安定性）の例を示している。縦軸は読み出しサイクル数を示し、横軸は（１／Ｐｒｅａｄ）を示す。図３から、読み出しサイクル数への読み出しパワーの影響は大きいことが理解できる。同時に、光検出器１１０（図１を参照されたい）に送られる、ブルーレイディスク１０２（図１を参照されたい）から戻る限定された光パワーは、データの読み出しをＲＦ信号の信号対ノイズ比に対してかなりクリティカルにする。このことは、２ｘにおけるＢＤ−ＲＥ−ＤＬについて既に観測されている。一般に、より高い読み出しパワーが求められるが、標準的なディスクには受け入れられない。
【００１９】
従って、ドライブ（図１を参照されたい）及び記録担体１０２（図１を参照されたい）の組み合わせについて、最大許容読み出しパワーが正確に決定されることを可能にする方法を有することは有利である。
【００２０】
ドライブ１００（図１を参照されたい）及び記録担体１０２（図１を参照されたい）の組み合わせについて最大許容読み出しパワーを決定する方法について開示している。前方感知設定値（図１ａを参照されたい）が、データの劣化が生じる記録担体（図１を参照されたい）からデータを読み出すことにより、光パワー制御ループを制御するように求められる。
【００２１】
その方法は、レーザ（光）パワー制御ループにおいて用いられる光検出器１０８ｂにより生成される最大電流を求めるものである。このことは、その方法がレーザパワー調整手順の精度に依存しないようにする。更に、その方法は、読み出しパワーにおけるジッタの対数的依存性に頼らず、特開２００３−００６９４１号公報に記載されているような最小二乗法を必要としない。その方法は、読み出しデータ特性が特定の量により変化する電流レベルを決定する。このことはかなり簡便であり、記録担体（即ち、ディスク）の物理に依存しない。
【００２２】
特開２００３−００６９４１号公報に記載されている解決方法は、主ビーム（レーザ光の）の最大読み出しパワーを決定する。主ビームのパワーの正確な値はドライブ１００（図１を参照されたい）には認識されていない。これは、製造中の調整手順の限られた精度によるものであり、主ビームにおけるパワーを直接測定できないためである。対物レンズからの全パワーのみが、一般に測定される。このことは、ドライブ１００（図１を参照されたい）の実際の読み出しパワーが調整中の目標値と実質的に異なる可能性があることを意味する。
【００２３】
ドライブファームウェアは、前方感知設定値（図１ａを参照されたい）のみに対して、設定と全パワー（対物レンズからの）との間の関係が限定的精度、例えば、２０％で認識される工場における演算を介して、アクセスする。その方法の重要点は、データ（ブルーレイディスク１０２に書き込まれている）の劣化が生じる前方感知設定（図１ａを参照されたい）の値を確立することである。その許容範囲のために、ドライブ１００（図１を参照されたい）は、これが対応する（主）ビームパワー（ｍＷ）に対して正確に認識していない。ドライブ１００（図１を参照されたい）のみが、安全な読み出しを保証するようにどれ位の前方感知設定値を適用する必要があるかを認識する必要がある。
【００２４】
実施形態においては、光パワー制御ループを制御する前方感知設定値が、ドライブ１００（図１を参照されたい）のアイドル時間中に、即ち、ホストが活性を必要としない時間期間中に求められる。
【００２５】
他の実施形態においては、ドライブのアイドル時間中に前方感知設定値を求めることは、記録担体１０２（図１を参照されたい）からデータを読み出すこと及び読み出されたデータのパラメータを評価することを含む。パラメータは、ジッタ、シンボル誤り率、ＲＦ非対称性統計、ＲＦ変調統計、時間間隔分析器統計、及びキャリア対ノイズ比であることが可能である。前方感知設定値は評価されたパラメータに基づいて求められる。このことは次のステップを必要とし、表１に概要が示されている。
ステップ１：ブルーレイディスク１０２（図１を参照されたい）の試験領域に関するダミーデータを記録するステップ。
ステップ２：ドライブ１００（図１ａを参照されたい）により許容可能である最小設定値に前方感知設定値を初期化するステップ。
ステップ３：ブルーレイディスク１０２（図１を参照されたい）に書き込まれているデータを１回読み出し、その読み出されたデータのパラメータを評価するステップ。
ステップ４：ブルーレイディスク１０２（図１を参照されたい）に書き込まれているデータをＮ回読み出し、Ｎ回データを読み出している間にその読み出されたデータのパラメータを評価するステップ。
ステップ５：前方感知設定値がドライブ１００により許容可能である最大値に達するまで、前方感知設定値を増加させて、各々の前方感知設定値においてステップ２及び３を繰り返すステップ。
ステップ６：評価されたパラメータに基づいて前方感知設定値を求めるステップ。
【００２６】
例えば、ブルーレイディスク１０２のドライブ演算ゾーンにおける複数のトラックを記録することにより、ブルーレイディスク１０２の試験領域にデータが記録されることに留意されたい。その試験領域（例えば、パワー較正領域）に記録されたデータが読み出され、最大許容可能読み出しパワーの推定が行われる。データは高読み出しパワーにより破壊される可能性があるため、実際の（即ち、ユーザの）データにおいて繰り返し読み出し走査を実行することは認められていない。
【００２７】
【表１】
2009545091.tif 000003
他の実施形態においては、所定量だけ１回のデータ読み出しとＮ回のデータ読み出しとの間で、評価されたパラメータが変化する前方感知設定値が決定される。換言すれば、読み出し中、データの特定の特性が評価される。用いられる特性が特定の量、例えば、ジッタにおける２％の増加で、変化するパワー値が決定される。最大許容読み出しパワーが、例えば、補間又は抽出を用いることにより、求められたパワー値を用いて導き出される。
【００２８】
図４は、繰り返し読み出しパワー及び平均ジッタの関数として読み出しサイクルに依存するグラフの例を示している。図５は、繰り返し読み出しパワー及び平均シンボル誤り率の関数として読み出しサイクルを示すグラフの例を示している。
【００２９】
図６は、例示としてのブルーレイディスク１０２（図１を参照されたい）において実行されたジッタ評価の例を示している。図６においては、縦軸はジッタの増加を示し、横軸は前方感知設定値を示す。ジッタが、１回のデータ読み出しとＮ回のデータ読み出しとの間で増加することが観測される。１回読み出しサイクルのジッタは、前方感知設定の増加につれて減少する。Ｎ回目読み出しサイクルは、Ｎ回読み出しサイクルの後のジッタの増加を示している。図６はまた、１回目読み第サイクルとＮ回目読み出しサイクルとの間のジッタの差を示している。図６を参照するに、前方感知設定値ＦＳ０は、ジッタの差が尚も０であるポイントと、ジッタの差が０と異なる第１ポイントと、の間の補間から得られる。
【００３０】
更なる実施形態においては、安全マージンが、例えば、前方感知設定値を用いることにより考慮され、その安全マージンは補間から求められた値より１０％小さい。この安全マージンは、良好な読み出し性能を有するように保証される必要がある、Ｎと読み出しサイクルの実際の数Ｍ（Ｍ＞Ｎ）との間の差を補償するように用いられる。その数Ｎは実験により決定される。Ｎは、一般に、実際の読み出しパワーの値においてデータの劣化をもたらすのに十分に大きい必要があるが、また、長い較正時間を回避するように十分に短い必要がある。
【００３１】
更なる実施形態においては、決定された最大許容前方感知設定値はブルーレイディスク１０２（図１を参照されたい）を識別する関連コードと共に、同じディスクか又は同じディスクブランドのどちらかについて、後の使用のために記憶される。更に、ブルーレイディスク１０２がドライブ１００（図１を参照されたい）に挿入される次のとき、記憶最大許容前方感知設定値は、新たな推定を再び実行することなく、ブルーレイディスク１０２からデータを読み出すために用いられる。
【００３２】
ドライブ１００（図１を参照されたい）及び記録担体１０２（図１を参照されたい）の組み合わせについて最大許容読み出しパワーを決定する装置１０００（図１を参照されたい）は、データの劣化が生じる記録担体１０２からデータを読み出すことにより、光パワー制御ループを制御する前方感知設定値を求めるように備えられた前方感知設定値発見ユニットを有する。ドライブ１０００（図１を参照されたい）は、上記の実施形態に例示しているようなブルーレイドライブ（図１を参照されたい）とブルーレイディスク１０２（図１を参照されたい）との組み合わせについて最大許容読み出しパワーを決定するように用いられることが可能である。代替として、ドライブ１０００は、ブルーレイドライブ１００自体（図１を参照されたい）の一部として実現されることが可能である。
【００３３】
１つの速度における読み出しパワーの推定を実行し、他の速度についての許容読み出しパワーの推定を行うことがまた、可能である。
【００３４】
また、一部の媒体ブランドが他の媒体ブランドに比べて読み出しパワーに対してより感度が高いことに留意する必要がある。ドライブ１００（図１を参照されたい）は、より高い読み出しパワーに対してより耐性があるという、媒体１０２（図１を参照されたい）の有利点を活かすことが可能である。それらの媒体は、より高い読み出し速度を可能にし、又は、増加した読み出しパワーを利用してより低い読み出し速度においてより大きい検出マージンを簡単に可能にする。同時に、既知の問題のディスクは尚も、そのドライブにより、減少した読み出しパワーでより低い速度で、安全に読み出されることが可能である。ドライブ１００において媒体ブランドに特定の読み出しパワーを用いることが可能である。全ての既知の媒体について、ドライブについての耐読み出しパワーは記憶ユニット（例えば、内部ドライブメモリ）に記憶される。再生（読み出し）中、この媒体に特定の読み出しパワーは、再生（読み出し）マージンを増加させるように用いられることが可能である。全ての未知の媒体について、名目上の読み出しパワーがそのドライブにおいて用いられることが可能である。代替として、媒体ブランド依存性読み出しパワーが媒体のテーブルに記憶されることが可能である。本質的には、媒体ブランド当たりに（即ち、各々の媒体ブランドについて）読み出しパワーを区別し、記憶ユニットに所定の媒体ブランド依存性読み出しパワーを記憶することが可能である。
【００３５】
本発明については、ブルーレイドライブ及びブルーレイディスクを用いる実施形態により説明しているが、本発明は、光ディスク媒体及び光ドライブ、例えば、追記型媒体及び他数回記録可能書き込みタイプ（ＣＤ−ＲＷ、ＤＶＤ−ＲＷ、ＤＶＤ＋ＲＷ、ブルーレイディスク）等の全てのタイプに適用されることが可能である。当業者は、ソフトウェア又はハードウェア及びソフトウェアの両方における方法についての上記の実施形態を実施することが可能である。上記の実施形態に対する他の変形について、図、明細書及び特許請求の範囲の学習により特許請求の範囲に記載の発明を実行する当業者が理解する及び達成することが可能である。用語“を有する”を用いることは、特許請求の範囲及び明細書で記述しているそれ以外の要素の存在を排除するものではない。要素又はステップの単数表現は、そのような要素又はステップの複数の存在を排除するものではない。図及び明細書は、例示とみなされるべきであり、本発明を限定するものではない。
【００３６】
要約すると、ドライブ−記録担体の組み合わせについて最大許容読み出しパワーを決定する方法について詳述している。その方法は、データの劣化が生じる記録担体からのデータを読み出すことにより、光パワー制御ループを制御する前方感知設定値を求めることができる。
【図１】
2009545091.tif 000004
【図１ａ】
2009545091.tif 000005
【図２】
2009545091.tif 000006
【図３】
2009545091.tif 000007
【図４】
2009545091.tif 000008
【図５】
2009545091.tif 000009
【図６】
2009545091.tif 000010
【国際調査報告】
2009545091.tif 000011
2009545091.tif 000012
2009545091.tif 000013